(57)【要約】【課題】１つのアンテナでさまざまな形状のループアンテナを有する外部通信装置と安定した通信性能を確保する。【解決手段】ループアンテナ３１は、基板４２の周縁部に沿って複数回巻かれた開口面積の大きいアンテナ部３１ａ、基板４２の中央部に複数回巻かれた開口面積の小さいアンテナ部３１ｂ、およびジャンパ線３１ｃからなるダブルループアンテナである。ループアンテナ３１の両端部は、それぞれ基板４２に形成されたホット側の接点３１ｄ、ＧＮＤ側の接点３１ｅに接続される。開口面積の大きいアンテナ部３１ａを使用して、開口面積の大きいアンテナ部６１ａを有するＲＷ搭載のループアンテナ６１と安定した通信が行われる。また、開口面積の小さいアンテナ部３１ｂを使用して、開口面積の小さいアンテナ部６１ｆを有するＲＷ搭載のループアンテナ６１と安定した通信が行われる。【選択図】図２
2015080003.tif 000002
【特許請求の範囲】
【請求項１】
開口面積の大きい第１のアンテナと、
前記第１のアンテナより開口面積の小さい第２のアンテナと、を備え、
前記第１のアンテナ及び前記第２のアンテナが１つのアンテナとして接続されたアンテナ装置。
【請求項２】
請求項１に記載のアンテナ装置であって、
前記第２のアンテナは、前記第１のアンテナの内側に配置されたアンテナ装置。
【請求項３】
請求項２に記載のアンテナ装置であって、
前記第１のアンテナの一端と前記第２のアンテナの一端が接続され、前記第１のアンテナの他端が第１接点に接続され、前記第２のアンテナの他端が第２接点に接続されたアンテナ装置。
【請求項４】
請求項３に記載のアンテナ装置であって、
前記第１のアンテナ、前記第２のアンテナ、前記第１接点及び前記第２接点が基板に形成されたアンテナ装置。
【請求項５】
請求項４に記載のアンテナ装置であって、
前記第１のアンテナは、前記基板の周縁部に沿って巻かれたループアンテナであり、
前記第２のアンテナは、前記基板の中央部に巻かれたループアンテナであるアンテナ装置。
【請求項６】
請求項５に記載のアンテナ装置であって、
前記第１のアンテナ及び前記第２のアンテナは、それぞれ所定の線数になるように複数回巻かれたループアンテナであるアンテナ装置。
【請求項７】
請求項１〜６のうちいずれか一項に記載のアンテナ装置が搭載され、対向する外部通信装置のアンテナと電磁結合する携帯無線機。
【発明の詳細な説明】
【技術分野】
【０００１】
本発明は、通信相手となる対向機のアンテナとの通信に用いられるアンテナ装置及び携帯無線機に関する。
【背景技術】
【０００２】
現在、ＲＦＩＤ（Radio Frequency Identification）用のアンテナには、多くの形状を有するものが市場に出回っており、それぞれにおいて安定した通信性能が求められる。特に、移動機にＦｅｌｉＣａ（登録商標）機能を搭載するためには、通信相手となる規定の対向リーダライタ（ＲＷ）、規定の通信距離及び通信性能を確保する必要がある。
【０００３】
図５（Ａ）は従来の移動機に搭載されているアンテナ１３０と対向するリーダライタに搭載されているアンテナ１６０との位置関係を示す図である。図５（Ｂ）は、従来の移動機とリーダライタとが近い場合の説明図である。図５（Ｃ）は、従来の移動機とリーダライタとが離れている場合の説明図である。なお、図５〜図７の説明において、従来の移動機を、単に「移動機」という。一般的に、移動機に搭載されているアンテナ１３０は、移動機の筐体背面側に配置される。移動機の通信相手となるリーダライタに搭載されているアンテナ１６０は、リーダライタの筐体表面側に配置される。
【０００４】
図５（Ａ）に示すように、移動機に搭載されているアンテナ１３０は、リーダライタに搭載されているアンテナ１６０に対し、開口面積の大きいアンテナ又は開口面積の小さいアンテナのいずれにおいても、安定した通信性能を確保する必要がある。
【０００５】
また、図５（Ｂ）に示すように、移動機に搭載されているアンテナ１３０は、リーダライタに搭載されているアンテナ１６０との距離が近くても安定した通信を行える必要がある。
【０００６】
更に、図５（Ｃ）に示すように、移動機に搭載されているアンテナ１３０は、リーダライタに搭載されているアンテナ１６０に対し、通信距離を確保する必要がある。
【０００７】
この種の先行技術として、異なる通信規格のＩＣ（近傍型と近接型）に対し、それぞれアンテナ素子を接続する際、１つのタグの中に、複数のＩＣとそれぞれに対応した複数のアンテナ素子を形成するＲＦＩＤシステムが知られている（例えば、特許文献１参照）。
【０００８】
また、異なる周波数帯域で通信を行う際、各周波数帯域に対応した複数のアンテナ素子が形成されたアンテナ装置が知られている（例えば、特許文献２参照）。
【０００９】
また、異なる機能（カード機能とリーダライタ機能）を有するＲＦＩＤシステムに用いられ、１つのアンテナに中間タップ及びスイッチを設け、それぞれの機能に対してアンテナを最適化するアンテナ装置が知られている（例えば、特許文献３参照）。
【先行技術文献】
【特許文献】
【００１０】
【特許文献１】特開２００４−２１３５８２号公報
【特許文献２】特開２０１０−２１３１９５号公報
【特許文献３】特開２００９−１５３０２３号公報
【発明の概要】
【発明が解決しようとする課題】
【００１１】
しかしながら、上記従来のアンテナ装置には、次のような問題があった。ＲＦＩＤシステムでは、移動機である携帯無線機と対向するリーダライタとにおいては、開口面積の大きい大型のループアンテナを有するもの、小型のループアンテナを有するもの等、さまざまな形状のループアンテナを有するものが存在する。携帯無線機と各リーダライタとの間で安定した通信を実現させるためには、通信距離を確保しながら、通信不可領域（図４の点線枠ｐ参照）を無くす必要があるが、上記従来のアンテナ装置には次のような問題があった。
【００１２】
図６（Ａ）は、アンテナ部の開口面積が異なる場合の移動機に搭載されているアンテナ１３０と対向するリーダライタに搭載されているアンテナ１６０との位置関係を示す図である。図６（Ｂ）は、それぞれ開口面積の小さい移動機とリーダライタとが離れている場合の説明図である。図６（Ｃ）は、アンテナ部の開口面積が異なる場合の移動機に搭載されているアンテナ１３０と対向するリーダライタに搭載されているアンテナ１６０との位置関係を示す図である。
【００１３】
図６（Ａ）に示すように、開口面積の小さいアンテナ部１３０ａを有する移動機に搭載されているアンテナ１３０と、開口面積の大きいアンテナ部１６０ａを有するリーダライタに搭載されているアンテナ１６０とが通信する場合、ループアンテナを形成する各アンテナ部１３０ａ，１６０ａ間の電磁結合が弱いため、通信が安定しない。
【００１４】
また、図６（Ｂ）に示すように、アンテナ部の開口面積が小さいもの同士の、移動機に搭載されているアンテナ１３０とリーダライタに搭載されているアンテナ１６０とが通信する場合、移動機とリーダライタとの通信距離が短くなり、通信性能が制限される。
【００１５】
また、図６（Ｃ）に示すように、開口面積の大きいアンテナ部１３０ａを有する移動機に搭載されているアンテナ１３０と開口面積の小さいアンテナ部１６０ａを有するリーダライタに搭載されているアンテナ１６０とが通信する場合、ループアンテナを形成する各アンテナ部１３０ａ，１６０ａ間の電磁結合が弱いため、通信が安定しない。
【００１６】
また、アンテナ部の開口面積が大きいもの同士の、移動機に搭載されているアンテナ１３０とリーダライタに搭載されているアンテナ１６０が通信を行う場合においても、次のような問題があった。図７（Ａ）は、アンテナ部の開口面積が大きいもの同士の、移動機に搭載されているアンテナ１３０と対向するリーダライタに搭載されているアンテナ１６０との位置関係を示す図である。図７（Ｂ）は移動機に搭載されているアンテナ１３０と対向するリーダライタに搭載されているアンテナ１６０との各長手方向が垂直である場合の位置関係を示す図である。図７（Ｃ）は、移動機に搭載されているアンテナ１３０とリーダライタに搭載されているアンテナ１６０との上面図である。
【００１７】
図７（Ａ）に示すように、２つのアンテナ部（ループアンテナ）１３０ａ，１６０ａの長手方向が平行である場合、各ループアンテナ間の電磁結合が強く、所望の通信性能が確保される。
【００１８】
一方、図７（Ｂ）及び（Ｃ）に示すように、２つのアンテナ部（ループアンテナ）１３０ａ，１６０ａの長手方向が互いに垂直である場合、重なる部分１８０の面積が小さくなるので、各ループアンテナ間の電磁結合が弱くなり、所望の通信性能を得ることが困難になる。
【００１９】
また、特許文献１，２で示したように、異なるＲＦＩＤシステム又は周波数帯域に対し、それぞれのアンテナ素子を形成して１つのアンテナ装置に組み込む場合、複数のアンテナ素子が必要となるので、小型化・薄型化が困難となる。
【００２０】
また、特許文献３で示したように、機能毎の信号を検出し、スイッチを用いてアンテナ条件を切り替えるため、同一の機能を用いる場合にアンテナ条件を切り替えることは困難となる。
【００２１】
本発明は、上記従来の問題を解決するためになされたものであり、１つのアンテナでさまざまな形状のループアンテナを有する外部通信装置と安定した通信性能を確保するアンテナ装置及び携帯無線機を提供することを目的とする。
【課題を解決するための手段】
【００２２】
本発明は、アンテナ装置であって、開口面積の大きい第１のアンテナと、前記第１のアンテナより開口面積の小さい第２のアンテナと、を備え、前記第１のアンテナ及び前記第２のアンテナが１つのアンテナとして接続されている。
【００２３】
この構成により、１つのアンテナでさまざまな形状のループアンテナを有する外部通信装置と安定した通信性能を確保することができる。
【発明の効果】
【００２４】
本発明によれば、第１のアンテナおよび第２のアンテナが１つのアンテナとして接続されているので、１つのアンテナでさまざまな形状のループアンテナを有する外部通信装置と安定した通信性能を確保することができる。
また、アンテナの接点が２個で済み、しかも、片面基板で形成可能であるので、小型化・薄型化を図ることができる。さらに、スイッチなどの回路部品を追加することなく、不要な部品を減らすことができる。
【図面の簡単な説明】
【００２５】
【図１】本実施形態における携帯情報端末を含むＲＦＩＤシステムの構成を示す図
【図２】（Ａ）携帯情報端末に搭載されたループアンテナの形状を示す平面図、（Ｂ）携帯情報端末に搭載されたループアンテナの形状を示す斜視図、（Ｃ）リーダライタに搭載されたループアンテナの形状を示す平面図
【図３】携帯情報端末に搭載のアンテナと対向するリーダライタに搭載のアンテナとの位置関係を示す図、（Ａ）携帯情報端末とリーダライタとの距離が離れている場合の説明図、（Ｂ）携帯情報端末とリーダライタとの距離が近い場合の説明図
【図４】携帯情報端末に搭載のアンテナとリーダライタに搭載のアンテナとの距離と、携帯情報端末に搭載のアンテナにおける受信電圧の変化とを示すグラフ
【図５】（Ａ）従来の移動機に搭載されているアンテナと対向するリーダライタに搭載されているアンテナとの位置関係を示す図、（Ｂ）従来の移動機とリーダライタとが近い場合の説明図、（Ｃ）従来の移動機とリーダライタとが離れている場合の説明図
【図６】（Ａ）アンテナ部の開口面積が異なる場合の移動機に搭載されているアンテナと対向するリーダライタに搭載されているアンテナとの位置関係を示す図、（Ｂ）それぞれ開口面積の小さい移動機とリーダライタとが通信する場合の説明図、（Ｃ）アンテナ部の開口面積が異なる場合の移動機に搭載されているアンテナと対向するリーダライタに搭載されているアンテナとの位置関係を示す図
【図７】（Ａ）アンテナ部の開口面積が大きいもの同士の、移動機に搭載されているアンテナと対向するリーダライタに搭載されているアンテナとの各長手方向が平行である場合の位置関係を示す図、（Ｂ）移動機に搭載されているアンテナと対向するリーダライタに搭載されているアンテナとの各長手方向が垂直である場合の位置関係を示す図、（Ｃ）移動機に搭載されているアンテナとリーダライタに搭載されているアンテナとの上面図
【発明を実施するための形態】
【００２６】
以下、本発明に係るアンテナ装置及び携帯無線機の実施形態について、図面を参照して説明する。本実施形態のアンテナ装置は、ＲＦＩＤシステムにおける携帯無線機（移動機）としての携帯情報端末に搭載される。
【００２７】
図１は、本実施形態における携帯情報端末１０を含むＲＦＩＤシステム１の構成を示す図である。ＲＦＩＤシステム１は、携帯無線機としての携帯情報端末１０、及び外部通信装置としてのリーダライタ５０を含む構成である。
【００２８】
（携帯情報端末１０）
携帯情報端末１０は、ＲＦＩＤアンテナ部１１、ＲＦＩＤ無線部１２、ＲＦＩＤ制御部１３、メモリ１４、インタフェース（ＩＦ）部１５、中央制御部１６、情報格納部１７、表示部１８、入力部１９及び無線通信部２０を含む構成である。
【００２９】
ＲＦＩＤアンテナ部１１は、アンテナ素子であるループアンテナ３１及び共振回路用コンデンサ３２を含む構成であり、リーダライタ５０との間で非接触にてデータ通信（送受信）を行う。
【００３０】
ＲＦＩＤ無線部１２は、検波、変復調、クロック抽出等、ループアンテナ３１を介してリーダライタ５０との間で送受信されるアナログ信号の送受信に関する処理を行う。
【００３１】
ＲＦＩＤ制御部１３は、リーダライタ５０との間で送受信されるデータを処理し、ＲＦＩＤ無線部１２の動作を統括的に制御する。ＲＦＩＤ制御部１３には、ＲＦＩＤに関する情報を記憶するメモリ１４が接続される。
【００３２】
メモリ１４は、例えばフラッシュメモリ等を用いて構成され、リーダライタ５０との間で送受信される各種のデータを格納する。
【００３３】
インタフェース部１５は、ＲＦＩＤ制御部１３を中央制御部１６、情報格納部１７、表示部１８、入力部１９、無線通信部２０と接続するための機能モジュールである。メモリ１４に書き込まれたデータは、インタフェース部１５を介して、中央制御部１６、情報格納部１７、表示部１８、入力部１９、無線通信部２０に転送される。
【００３４】
中央制御部１６は、ＣＰＵ（Central Processing Unit）、ＲＯＭ（Read Only Memory）、ＲＡＭ（Random Access Memory）等を用いて構成され、ＣＰＵがＲＯＭに格納された各種プログラムを実行することにより、携帯情報端末１０の動作に関する各種の処理を行う。中央制御部１６には、携帯情報端末１０にて利用可能なアプリケーション及びコンテンツデータ等の各種情報を格納する情報格納部１７が接続される。
【００３５】
表示部１８は、ＬＣＤ（Liquid Crystal Display）等を用いて構成され、ＲＦＩＤ機能の状態、各種の処理結果、コンテンツデータの再生結果等をＬＣＤ画面に出力する。
【００３６】
入力部１９は、ボタン、テンキー、スイッチ、ジョグダイヤル、ＬＣＤ画面に配置されたタッチパネル等を用いて構成され、携帯情報端末１０への操作指示又はデータ入力のユーザ操作を受け付ける。
【００３７】
無線通信部２０は、アンテナ２１を介して外部の基地局（不図示）と無線通信を行うための無線通信機能を有する。これらの各部はバッテリ（不図示）から給電されて駆動する。
【００３８】
（リーダライタ５０）
リーダライタ５０は、ＲＦＩＤアンテナ部５１、ＲＦＩＤ無線部５２、制御部５３、メモリ５４及びインタフェース（ＩＦ）部５５を含む構成である。
【００３９】
ＲＦＩＤアンテナ部５１は、アンテナ素子であるループアンテナ６１及び共振回路用コンデンサ６２を含む構成であり、携帯情報端末１０との間で非接触にてデータ通信（送受信）を行う。
【００４０】
ＲＦＩＤ無線部５２は、検波、変復調、クロック抽出等、ループアンテナ６１を介して携帯情報端末１０との間で送受信されるアナログ信号の送受信に関する処理を行う。
【００４１】
制御部５３は、携帯情報端末１０との間で送受信されるデータを処理し、ＲＦＩＤ無線部５２の動作を統括的に制御する。制御部５３には、ＲＦＩＤに関する情報を記憶するメモリ５４が接続される。
【００４２】
メモリ５４は、例えばフラッシュメモリ等を用いて構成され、携帯情報端末１０との間で送受信される各種のデータ、例えば携帯情報端末１０の識別情報、及び読み取りエラー情報等を格納する。
【００４３】
インタフェース部５５は、リーダライタ５０を図１の後段（左端の矢印側）のデータ処理装置（不図示）と接続するものであり、例えば携帯情報端末１０との間で送受信されたデータをデータ処理装置に出力する。
【００４４】
図２（Ａ）は、携帯情報端末１０に搭載されたループアンテナ３１の形状を示す平面図であり、基板４２に形成された携帯情報端末１０に搭載のループアンテナ３１の形状を示す。基板４２はＦＰＣ（Flexible Printed Circuits）、ＦＲ−４等の材質を用いて構成されている。
【００４５】
ループアンテナ３１は、基板４２の周縁部に沿って複数回巻かれた開口面積の大きいアンテナ部３１ａ、基板４２の略中央部に複数回巻かれた開口面積の小さいアンテナ部３１ｂ、及びジャンパ線３１ｃからなるダブルループアンテナである。ここでは、アンテナ部３１ａ，３１ｂは、それぞれ任意の線数（例えば２線）になるように巻かれている。また、アンテナ部３１ｂは、アンテナ部３１ａの内側に形成される。
【００４６】
ループアンテナ３１の両端部は、それぞれ基板４２に形成されたホット側の接点３１ｄ（第１接点）、ＧＮＤ側の接点３１ｅ（第２接点）に接続される。
【００４７】
このように、アンテナ部３１ａの一端とアンテナ部３１ｂの一端が接続され、アンテナ部３１ａの他端が接点３１ｄに接続され、アンテナ部３１ｂの他端がジャンパ線３１ｃを介して接点３１ｅに接続される。これにより、ループアンテナ３１は、一筆書きのような配線パターンで一体化される。図２（Ａ）に示すループアンテナ３１は接点３１ｅを接点３１ｄと並べるためにジャンパ線３１ｃを用いた一例であるが、接点３１ｅはループアンテナ３１のループ内部に配置し、ジャンパ線３１ｃを不要にしても良い。
【００４８】
本実施形態では、ループアンテナ３１の形状は、図２（Ａ）の寸法ａ、ｂ、ｃの比率で表されるような矩形となっているが、他の比率の矩形、円形、その他の形状を用いて構成されてもよく、図２（Ａ）に示す形状に限定されない。
【００４９】
図２（Ｂ）は、図２（Ａ）で示されるダブルループアンテナとして形成されたループアンテナ３１の形状を、分かり易く説明するために、模式的に表す斜視図である。以下の説明では、図２（Ｂ）のように模式的に表されたループアンテナの形状を用いることとする。
【００５０】
図２（Ｃ）は、リーダライタ５０に搭載のループアンテナ６１の形状を示す平面図である。ループアンテナ６１は、基板６５の周縁部に沿って巻かれたアンテナ部６１ａ、アンテナ部６１ａの両端がそれぞれ接続される接点６１ｂ、６１ｃからなる。
【００５１】
ここで、ループアンテナ３１が形成された基板４２の面は、携帯情報端末１０の筐体の背面側に配置される。一方、ループアンテナ６１が形成された基板６５の面は、リーダライタ５０の筐体の表面側に配置される。
【００５２】
（ＲＦＩＤシステム１の動作）
次に、ＲＦＩＤシステム１の動作について説明する。
【００５３】
ＲＦＩＤシステム１におけるデータの送受信に関する動作は周知技術であるので、周知技術に関する説明は省略し、本実施形態に関する各ループアンテナ３１，６１間の電磁結合の強弱に関する動作について説明する。
【００５４】
図３は、携帯情報端末１０に搭載のループアンテナ３１と対向するリーダライタ５０に搭載のループアンテナ６１との位置関係を示す図である。図３（Ａ）は、携帯情報端末１０とリーダライタ５０との距離が離れている場合の説明図である。図３（Ｂ）は、携帯情報端末１０とリーダライタ５０との距離が近い場合の説明図である。
【００５５】
図３（Ａ）に示すように、両者間の距離が比較的長い場合、ループアンテナ３１は、リーダライタ５０に搭載のアンテナ部６１ａ，６１ｆの開口面積とほぼ同じ大きさの開口面積を有するアンテナ部３１ａ，３１ｂを用いて、リーダライタ５０と無線通信する。
【００５６】
より具体的には、ループアンテナ３１は、リーダライタ５０に搭載のアンテナ部６１ａの開口面積が大きい場合には、アンテナ部６１ａの開口面積とほぼ同じ大きさの開口面積を有するアンテナ部３１ａを用いて、リーダライタ５０と無線通信する。
更に、ループアンテナ３１は、リーダライタ５０に搭載のアンテナ部６１ｆの開口面積が小さい場合には、アンテナ部６１ｆの開口面積とほぼ同じ大きさの開口面積を有するアンテナ部３１ｂを用いて、リーダライタ５０と無線通信する。
【００５７】
これらの場合、各ループアンテナ３１，６１間の電磁結合が強いため、携帯情報端末１０とリーダライタ５０との間の通信距離を確保することができる。
【００５８】
また、図３（Ｂ）に示すように、両者間の距離が比較的短い場合でも、ループアンテナ３１は、リーダライタ５０に搭載のアンテナ部６１ａ，６１ｆの開口面積とほぼ同じ大きさの開口面積を有するアンテナ部３１ａ，３１ｂを用いて、リーダライタ５０と無線通信する。
【００５９】
より具体的には、ループアンテナ３１は、リーダライタ５０に搭載のアンテナ部６１ａの開口面積が大きい場合には、アンテナ部６１ａの開口面積とほぼ同じ大きさの開口面積を有するアンテナ部３１ａを用いて、リーダライタ５０と無線通信する。
更に、ループアンテナ３１は、リーダライタ５０に搭載のアンテナ部６１ｆの開口面積が小さい場合には、アンテナ部６１ｆの開口面積とほぼ同じ大きさの開口面積を有するアンテナ部３１ｂを用いて、リーダライタ５０と無線通信する。
【００６０】
このように、開口面積の大きいアンテナ部３１ａ、６１ａ同士で、安定した通信を行うことができる。また、開口面積の小さいアンテナ部３１ｂ、６１ｆ同士でも、安定した通信を行うことができる。
【００６１】
図４は、携帯情報端末１０に搭載のループアンテナ３１とリーダライタ５０に搭載のループアンテナ６１との距離と、携帯情報端末１０に搭載のループアンテナ３１における受信電圧の変化とを示すグラフである。図４の横軸は、携帯情報端末１０に搭載のループアンテナ３１とリーダライタ５０に搭載のループアンテナ６１との間の距離を示す。図４の縦軸は、ループアンテナ３１の受信電圧の大きさを示す。
【００６２】
ダブルループアンテナを構成する本実施形態のループアンテナ３１を用いた場合、符号ｍに示すように、ループアンテナ３１の受信電圧は、距離が長くなるほど、連続的になだらかに下がる。一方、従来のループアンテナを用いた場合、符号ｎに示すように、途中で受信電圧が下がる通信不能領域（点線枠ｐ）が存在し、この従来のループアンテナの受信電圧は、距離に対して不連続に変化する。
【００６３】
本実施形態のＲＦＩＤシステム１によれば、１つのアンテナでさまざまな形状のループアンテナを有するリーダライタと安定した通信性能を確保することができる。また、開口面積の小さいアンテナ部を開口面積の大きいアンテナ部の内側に配置することで、アンテナ部の面積を小さくすることができる。また、アンテナと基板との接点が２ヶ所で済むので、アンテナ装置及び携帯無線機の小型化に適する。また、片面基板でアンテナ装置が形成可能であるので、薄型化が可能である。更に、スイッチなどの回路部品を追加することなく、不要な部品を減らすことができる。
【００６４】
また、携帯情報端末１０のアンテナ部３１ａは基板４２の周縁部に沿って巻かれており、アンテナ部３１ｂは基板４２の略中央部に巻かれているため、リーダライタ５０に搭載されたさまざま形状のループアンテナに対応することができる。
【００６５】
また、携帯情報端末１０のアンテナ部３１ａ，３１ｂは、それぞれ任意の線数（ここでは２線）になるように複数回巻かれているので、リーダライタ５０のアンテナ部６１との電磁結合を強くすることができる。
【００６６】
また、ループアンテナ３１が形成された基板４２の片面は、携帯情報端末１０の筐体の背面側に配置されている。携帯情報端末１０の筐体背面をリーダライタ５０の筐体表面に近づけて通信を行う際、電磁結合を強い状態で、携帯情報端末１０はリーダライタ５０と通信することができる。
【００６７】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６８】
例えば、上記実施形態では、各アンテナ部３１ａ，３１ｂが任意の線数になるように複数回巻かれたループアンテナ（スパイラルアンテナ）を示したが、１本の線数に巻かれたループアンテナであってもよい。更には、所定のピッチだけ離して任意の線数になるように複数回巻かれたループアンテナ（ヘリカルアンテナ）であってもよい。
【００６９】
また、上記実施形態では、携帯情報端末１０側に、第１のループアンテナと第２のループアンテナからなるダブルループアンテナを搭載する場合を示したが、リーダライタ側もしくは双方にダブルループアンテナを搭載してもよい。
【００７０】
また、上記実施形態では、開口面積の大きいループアンテナ（アンテナ部）の内側に開口面積の小さいループアンテナ（アンテナ部）を形成する場合を示したが、これらを隣接するように形成するようにしてもよい。
【００７１】
また、上記実施形態では、基板の周縁部に沿って巻かれたアンテナ部（第１のアンテナ）と基板の中央部に巻かれたアンテナ部（第２のアンテナ）を１つのアンテナとして接続する場合を示したが、３つ以上のアンテナを１つのアンテナとして接続してもよい。
【００７２】
例えば、基板の中心からリング状に広がった位置（同心上の位置）に、第１のアンテナ、第２のアンテナ、第３のアンテナを設け、これらを接続して１つのアンテナとしてもよい。また、基板の周縁部に沿って巻かれたアンテナ部（第１のアンテナ）の内側に、隣接するように巻かれた２つのアンテナ部（第２、第３のアンテナ）を設け、これらを接続して１つのアンテナとしてもよい。
【００７３】
また、上記実施形態では、片面基板に配線パターンを設けることでアンテナを形成していたが、多層基板でもよい。さらに基板を用いることなく、線材でループアンテナを形成してもよい。また、線材の他、導電性を有する材質でアンテナを形成してもよい。
【００７４】
また、上記実施形態では、携帯無線機として、携帯情報端末に搭載された場合を示したが、電子タグなど種々のものに搭載可能である。
【産業上の利用可能性】
【００７５】
本発明は、対向するアンテナとの通信に用いられるアンテナ装置であり、１つのアンテナでさまざまな形状のループアンテナを有する外部通信装置と安定した通信性能を確保するアンテナ装置及び携帯無線機として有用である。
【符号の説明】
【００７６】
１  ＲＦＩＤシステム
１０  携帯情報端末
１１、５１  ＲＦＩＤアンテナ部
１２、５２  ＲＦＩＤ無線部
１３  ＲＦＩＤ制御部
１４、５４  メモリ
１５、５５  インタフェース部
１６  中央制御部
１７  情報格納部
１８  表示部
１９  入力部
２０  無線通信部
２１  アンテナ
３１、６１  ループアンテナ
３１ａ、３１ｂ、６１ａ、６１ｆ  アンテナ部
３１ｃ  ジャンパ線
５０  リーダライタ
５３  制御部
【図１】
2015080003.tif 000003
【図２】
2015080003.tif 000004
【図３】
2015080003.tif 000005
【図４】
2015080003.tif 000006
【図５】
2015080003.tif 000007
【図６】
2015080003.tif 000008
【図７】
2015080003.tif 000009